(57)【要約】【課題】運転者によるブレーキ操作の程度を車両の乗員が容易に知ることができる車内灯制御装置を提供する。【解決手段】車両Ｃに設けられた車内灯の点灯を制御する車内灯制御装置１は、前記車両Ｃのブレーキに対する操作速度又は操作量を取得する取得部と、該取得部が取得した前記操作速度又は操作量に応じて異なる点灯態様で前記車内灯の点灯を制御する制御部とを備える。従って、車内灯制御装置１は、当該操作速度又は操作量に応じた点灯態様を車両Ｃの乗員に確認させることができるため、運転者によるブレーキ操作の程度を容易に知らせることができる。【選択図】図１
2015160542.tif 000002
【特許請求の範囲】
【請求項１】
車両に設けられた車内灯の点灯を制御する車内灯制御装置において、
前記車両のブレーキに対する操作速度又は操作量を取得する取得部と、
該取得部が取得した前記操作速度又は操作量に応じて異なる点灯態様で前記車内灯の点灯を制御する制御部と
を備えることを特徴とする車内灯制御装置。
【請求項２】
前記点灯態様は、前記車内灯の点灯色又は明るさを含むこと
を特徴とする請求項１に記載の車内灯制御装置。
【請求項３】
前記点灯態様は、所定時間内に前記車内灯が点灯及び消灯を行うタイミングを含むこと
を特徴とする請求項１又は２に記載の車内灯制御装置。
【請求項４】
前記点灯態様の入力を受け付ける点灯態様受付部を備え、
前記制御部は、前記点灯態様受付部が受け付けた点灯態様で前記車内灯の点灯を制御可能に構成してあること
を特徴とする請求項１から３までの何れか一つに記載の車内灯制御装置。
【請求項５】
前記車両の車速を取得する車速取得部を備え、
前記制御部は、前記車速取得部が取得した車速と、前記取得部が取得した前記操作速度又は操作量とに応じて異なる点灯態様で前記車内灯の点灯を制御するようにしてあること
を特徴とする請求項１から４までの何れか一つに記載の車内灯制御装置。
【請求項６】
前記制御部は、前記車速取得部が取得した車速が所定速度以上のとき、前記車内灯の点灯を制御するようにしてあること
を特徴とする請求項５に記載の車内灯制御装置。
【請求項７】
前記制御部は、複数の前記車内灯を制御可能に構成してあり、
前記制御部に制御させる車内灯の入力を受け付ける制御対象受付部を備え、
前記制御部は更に、前記取得部が取得した前記操作速度又は操作量に応じて前記制御対象受付部が受け付けた車内灯の点灯を制御するようにしてあること
を特徴とする請求項１から６までの何れか一つに記載の車内灯制御装置。
【請求項８】
前記車内灯は電飾用であること
を特徴とする請求項１から７までの何れか一つに記載の車内灯制御装置。
【発明の詳細な説明】
【技術分野】
【０００１】
本発明は、車両に設けられた車内灯の点灯制御を行う車内灯制御装置に関する。
【背景技術】
【０００２】
従来、車両のブレーキの作動を検出したか否かにより当該車両に設けられた車内灯を点灯させる車内灯制御装置が知られている。特許文献１に記載の車内灯制御装置は、ブレーキの作動を検出した場合、ルームミラー近傍に設けられた車内灯を点灯させ、ルームミラーへの注視を運転者に促す。注視を促された運転者は、ルームミラーを確認することで自身のブレーキ操作によって運転車両後方から追突される危険の有無を確認することができ、当該危険に対して事前に対応することができる。
【先行技術文献】
【特許文献】
【０００３】
【特許文献１】特開平７−１６４９５８号公報
【発明の概要】
【発明が解決しようとする課題】
【０００４】
一般に、運転者は自身でブレーキ操作を行うため、当該操作の程度を知ることは容易にできる。一方、運転者以外の車両の乗員は自身がブレーキの操作を行っていないため、当該操作の程度を知ることが難しい。そのため、例えば運転者により急ブレーキとなるブレーキ操作が行われた場合、当該運転者は当該ブレーキ操作に対して事前に身構えることができるが、当該運転者以外の乗員は、当該ブレーキ操作に対して事前に身構えることが難しい。従って、運転者以外の乗員が当該運転手によるブレーキ操作の程度を知り得ることが望まれる。
【０００５】
しかしながら、特許文献１に記載のような車内灯制御装置は、運転者にルームミラーへの注視を促すために車内灯を点灯させ、運転者以外の乗員に対してブレーキ操作があったことを知らせるために当該車内灯を点灯させていない。また、特許文献１に記載のような車内灯制御装置は、当該車内灯を点灯させることで、ブレーキ操作があったことを運転者以外の乗員に知らせることができたとしても、当該操作の程度を知らせることができない。
【０００６】
また、急ブレーキとなるブレーキ操作を繰り返す等の危険な運転を運転者が意図せず行っていた場合、当該運転者の意図によらず事故等が生じる虞がある。そのため、車両の運転者自身がブレーキ操作の程度を客観的に知り得ることが望まれる。
【０００７】
本発明は斯かる事情に鑑みてなされたものであり、運転者によるブレーキ操作の程度を車両の乗員が容易に知ることができる車内灯制御装置を提供することにある。
【課題を解決するための手段】
【０００８】
本発明の車内灯制御装置は、車両に設けられた車内灯の点灯を制御する車内灯制御装置において、前記車両のブレーキに対する操作速度又は操作量を取得する取得部と、該取得部が取得した前記操作速度又は操作量に応じて異なる点灯態様で前記車内灯の点灯を制御する制御部とを備えることを特徴とする。
【０００９】
本発明にあっては、取得部は車両のブレーキに対する操作速度又は操作量を取得する。制御部は、取得部が取得したブレーキに対する操作速度又は操作量に応じて異なる点灯態様で車内灯の点灯を制御する。従って、車内灯制御装置は、当該操作速度又は操作量に応じた点灯態様を車両の乗員に確認させることができるため、運転者によるブレーキ操作の程度を容易に知らせることができる。
【００１０】
本発明の車内灯制御装置は、前記点灯態様は、前記車内灯の点灯色又は明るさを含むことを特徴とする。
【００１１】
本発明にあっては、車内灯の点灯色又は明るさが点灯態様に含まれる。従って、車内灯制御装置は、ブレーキに対する操作速度又は操作量に応じた点灯色を車両の乗員に確認させることができるため、運転者によるブレーキ操作の程度を容易に知らせることができる。
【００１２】
本発明の車内灯制御装置は、前記点灯態様は、所定時間内に前記車内灯が点灯及び消灯を行うタイミングを含むことを特徴とする。
【００１３】
本発明にあっては、所定時間内に車内灯が点灯及び消灯を行うタイミングが点灯態様に含まれる。従って、車内灯制御装置は、ブレーキに対する操作速度又は操作量に応じた車内灯の点灯及び消灯を行うタイミングを車両の乗員に確認させることができるため、運転者によるブレーキ操作の程度を容易に知らせることができる。
【００１４】
本発明の車内灯制御装置は、前記点灯態様の入力を受け付ける点灯態様受付部を備え、前記制御部は、前記点灯態様受付部が受け付けた点灯態様で前記車内灯の点灯を制御可能に構成してあることを特徴とする。
【００１５】
本発明にあっては、点灯態様受付部は、制御部が車内灯を点灯させ得る点灯態様の入力を受け付ける。制御部は、点灯態様受付部が受け付けた点灯態様で車内灯の点灯を制御することが可能である。従って、車内灯制御装置は、使用者が入力した点灯態様により車内灯を点灯させることができるため、利便性が向上する。
【００１６】
本発明の車内灯制御装置は、前記車両の車速を取得する車速取得部を備え、前記制御部は、前記車速取得部が取得した車速と、前記取得部が取得した前記操作速度又は操作量とに応じて異なる点灯態様で前記車内灯の点灯を制御するようにしてあることを特徴とする。
【００１７】
本発明にあっては、車速取得部は車両の車速を取得する。制御部は、車速取得部が取得した車速と、取得部が取得したブレーキに対する操作速度又は操作量とに応じて異なる点灯態様で車内灯の点灯を制御する。従って、車内灯制御装置は例えば、車速に応じて車内灯の点灯態様を変える等を行うことができ、車速に応じて車両の乗員に知らせる程度を変えることができる。
【００１８】
本発明の車内灯制御装置は、前記制御部は、前記車速取得部が取得した車速が所定速度以上のとき、前記車内灯の点灯を制御するようにしてあることを特徴とする。
【００１９】
制御部は車速取得部が取得した車速が所定速度以上のときに車内灯の点灯を制御するに従って、運転者によるブレーキ操作の程度を車両の乗員へ知らせる必要がない場合に、車内灯の不要な点灯を防ぐことができる。
【００２０】
本発明の車内灯制御装置は、前記制御部は、複数の前記車内灯を制御可能に構成してあり、前記制御部に制御させる車内灯の入力を受け付ける制御対象受付部を備え、前記制御部は更に、前記取得部が取得した前記操作速度又は操作量に応じて前記制御対象受付部が受け付けた車内灯の点灯を制御するようにしてあることを特徴とする。
【００２１】
本発明にあっては、制御部は車両に設けられた複数の車内灯を制御可能に構成してある。制御対象受付部は、制御部に制御させる車内灯の入力を受け付ける。また制御部は、取得部が取得した操作速度又は操作量に応じて制御対象受付部が受け付けた車内灯の点灯を制御する。従って、車内灯制御装置は、使用者が入力した車内灯を点灯させることができるため、利便性が向上する。
【００２２】
本発明の車内灯制御装置は、前記車内灯は電飾用であることを特徴とする。
【００２３】
本発明にあっては、車内灯は、電飾用である。従って、車内灯制御装置は、一又は複数の点灯色で点灯する車内灯の点灯を制御することができる。
【発明の効果】
【００２４】
本発明によれば、運転者によるブレーキ操作の程度を車両の乗員が容易に知ることができる。
【図面の簡単な説明】
【００２５】
【図１】実施の形態１における車内灯制御システムを示す模式図である。
【図２】車内灯制御システムの各構成を示すブロック図である。
【図３】電飾灯テーブルの具体例を示す説明図である。
【図４】電飾灯の点灯に係る設定が登録されるときにおける車内灯制御装置の処理手順を示すフローチャートである。
【図５】制御対象選択画面の具体例を示す説明図である。
【図６】点灯パターン選択画面の具体例を示す説明図である。
【図７】ブレーキが操作されたときにおける車内灯制御装置の処理手順を示すフローチャートである。
【図８】実施の形態２における車内灯制御システムの各構成を示すブロック図である。
【図９】ブレーキが操作されたときにおける車内灯制御装置の処理手順を示すフローチャートである。
【発明を実施するための形態】
【００２６】
以下、本発明をその実施形態を示す図面に基づいて詳述する。
【００２７】
（実施の形態１）
図１は、実施の形態１における車内灯制御システムを示す模式図である。車内灯制御システムは、車内灯制御装置１、電飾灯２、及びブレーキＥＣＵ３を備える。車内灯制御装置１、電飾灯２、及びブレーキＥＣＵ３は夫々車両Ｃに設けられている。電飾灯２は、電飾用の白熱電球、ＬＥＤ（Light Emitting Diode）、有機ＥＬ（Electro Luminescence）等で構成される。電飾灯２は、一又は複数の点灯色で点灯する。このとき電飾灯２は、一の光源であってもよく、複数の光源であってもよい。実施の形態１では、電飾灯２は例えば、足元電飾灯２１、ドア電飾灯２２、インパネ電飾灯２３、ピラー電飾灯２４、及びルーフ電飾灯２５であり、車両Ｃの車室内の複数箇所に設けられている。また、ルームランプ、ドームランプ、又はマップランプが、一又は複数の点灯色で点灯する電飾灯２として構成されてもよい。以下では、足元電飾灯２１、ドア電飾灯２２、インパネ電飾灯２３、ピラー電飾灯２４、又はルーフ電飾灯２５を適宜、電飾灯２と称する。
【００２８】
足元電飾灯２１は、車室内における各座席前方の床面を照らすことができる位置に設けられている。ドア電飾灯２２は、車両Ｃにおける各ドアの車室内側に設けられたドアトリムに設けられている。ドアトリムは、ドアの内側面に設けられ、車室内からドアを開くドアハンドルと、収納空間を表すドアポケットとを備える。ドア電飾灯２２は、ドアハンドル近傍と、ドアポケットの内部とを照らす。インパネ電飾灯２３は、車両Ｃのインストルメントパネルに設けられている。ピラー電飾灯２４は、車両Ｃにおけるピラーの車室内側に取り付けられたガーニッシュに設けられ、例えば、車両Ｃの天井面を照らす。ルーフ電飾灯２５は、車室内の天井面に設けられている。
【００２９】
ブレーキＥＣＵ３は、車両Ｃのブレーキに対する操作速度及び操作量に基づいて当該ブレーキの制御を行う制御装置である。
【００３０】
車内灯制御装置１は、車内灯の点灯の制御を行う制御装置であり、運転者のブレーキ操作に応じて異なる点灯態様となるように、電飾灯２の点灯の制御を行う。
【００３１】
図２は、車内灯制御システムの各構成を示すブロック図である。車内灯制御装置１は、制御部１１を備える。制御部１１は、例えば一又は複数のＣＰＵ、マルチコアＣＰＵ等により構成される。また車内灯制御装置１は、バスを介して制御部１１に接続されている、記憶部１２、一時記憶部１３、通信部１４、及び入出力部１５を備える。制御部１１は、後述の記憶部１２に記憶されている制御プログラム１２ａ等を読み出し、各部を制御する。
【００３２】
記憶部１２は、ＥＥＰＲＯＭ（Electrically Erasable Programmable ROM）、フラッシュメモリ等の不揮発性メモリである。記憶部１２には、制御部１１が処理を行うための制御プログラム１２ａが記憶されている。制御プログラム１２ａは、車内灯制御装置１が備える各部を、制御部１１が制御する処理内容が記述されたプログラムである。また、記憶部１２には、電飾灯テーブル１２ｂが記憶されている。電飾灯テーブル１２ｂは、制御部１１が電飾灯２を制御するときに参照するテーブルであり、詳細は後述する。更に、記憶部１２には、点灯パターン１２ｃが記憶されている。点灯パターン１２ｃには、制御部１１がブレーキに対する操作速度及び操作量に応じて電飾灯２を点灯させ得る点灯態様が記憶されている。点灯態様は例えば、当該操作速度及び操作量に応じて電飾灯２の点灯色の色相が段階的に変化する態様である。また、点灯態様は例えば、当該操作速度及び操作量に応じて電飾灯２が所定時間内に点灯及び消灯を行うタイミングが段階的に変化する態様である。
【００３３】
一時記憶部１３は、ＳＲＡＭ（Static RAM）、ＤＲＡＭ（Dynamic RAM）等のメモリである。一時記憶部１３は、制御部１１が制御プログラム１２ａを実行することによって生ずる各種データを一時記憶する。
【００３４】
通信部１４は、通信線を介してブレーキＥＣＵ３に接続されており、ＣＡＮ（Controller Area Network）プロトコル等の車載ＬＡＮ（Local Area Network）で用いられる通信プロトコルに従って、ブレーキＥＣＵ３と情報の送受信を行う。ブレーキＥＣＵ３には、ストロークセンサ４及び圧力センサ５が接続されている。ストロークセンサ４は、例えば、車両Ｃに設けられたブレーキペダルにおける単位時間当たりの変位量、即ちブレーキに対する操作速度を検出し、検出した操作速度をブレーキＥＣＵ３に出力する。圧力センサ５は、ブレーキペダルの踏み込み量、即ちブレーキに対する操作量を検出し、検出した操作量をブレーキＥＣＵ３に出力する。ブレーキＥＣＵ３は、ストロークセンサ４及び圧力センサ５から出力されたブレーキに対する操作速度及び操作量に基づいて、ディスクブレーキ、ドラムブレーキ等の車両Ｃに設けられた制動装置を制御する。
【００３５】
ここで、当該操作速度が遅く、かつ操作量が少ないとき、例えば運転者によってブレーキ操作が開始されたことを表す。当該操作速度が遅くかつ操作量が多いとき、例えば運転者によって車両Ｃの停止前、停止中、発進前に行われるブレーキ操作を表す。車両Ｃの停止前に行われるブレーキ操作とは、ブレーキ操作によって減速した車両Ｃを停止させるために運転者によってブレーキペダルが踏み込まれた操作である。車両Ｃの停止中に行われるブレーキ操作とは、車両Ｃが停止した状態を維持するために運転者によってブレーキペダルが踏み込まれている操作である。車両Ｃの発進前に行われるブレーキ操作とは、車両Ｃを発進させるために運転者によって踏み込んだブレーキペダルから足を離す操作である。当該操作速度が速く、かつ操作量が多いとき、例えば運転者によって急ブレーキとなるブレーキ操作が行われたことを表す。当該操作速度が速くかつ操作量が少ないとき、例えば運転者によって急ブレーキとなるブレーキ操作が行われる前に行われるブレーキ操作を表す。
【００３６】
入出力部１５には、操作パネル６及び電飾灯２が接続されている。操作パネル６は、各種の操作画面等の画像を表示する液晶パネルなどの表示部と、表示された操作画面等への入力を受け付けるためのボタン又はタッチパネル等とを備えた装置である。操作パネル６は、例えばカーナビゲーション装置と共用のものであってよい。操作パネル６は、受け付けた操作を車内灯制御装置１へ出力すると共に、車内灯制御装置１の制御に応じて当該操作画面等の表示を行う。
【００３７】
図３は、電飾灯テーブル１２ｂの具体例を示す説明図である。電飾灯テーブル１２ｂには、点灯箇所毎に点灯パターンが記憶されている。点灯箇所は、車両Ｃの各場所に設けられた電飾灯２を表す。点灯箇所の列の「足元」は足元電飾灯２１を表す。また、当該列の「ドアハンドル」と「ドアポケット」とは夫々、ドア電飾灯２２におけるドアハンドル近傍を照らす電飾灯２とドアポケットを照らす電飾灯２とを表す。更に、当該列の「インパネ」、「ピラー」、及び「ルーフ」は夫々、インパネ電飾灯２３、ピラー電飾灯２４、及びルーフ電飾灯２５を表す。
【００３８】
また、点灯パターンは点灯パターン１２ｃに記憶された点灯態様である。例えば、点灯パターンの列の「グラデーションＡ」では、ブレーキに対する操作速度が遅く、かつ操作量が少なくなるように、運転者によってブレーキ操作が行われたとき、制御部１１は点灯色がマゼンタとなるように対応する電飾灯２を制御する。また、「グラデーションＡ」では、当該操作速度が速く、かつ操作量が多くなるように運転者によってブレーキ操作が行われたとき、制御部１１は、点灯色が赤となるように対応する電飾灯２を制御する。制御部１１が「グラデーションＡ」の点灯態様となるように対応する電飾灯２の点灯を制御することによって、車両Ｃの乗員は当該点灯態様を確認することができる。そのため、車両Ｃの乗員は、運転者がブレーキ操作の開始後、急ブレーキとなるブレーキ操作を行ったことを知ることができる。
【００３９】
なお、電飾灯テーブル１２ｂには、「グラデーションＡ」以外の点灯態様が記憶されていてもよい。例えば、当該操作速度が速く、かつ操作量が少ないときから、当該操作速度が速く、かつ操作量が多くなるにつれて、色相が変わる点灯態様が記憶されていてもよい。制御部１１が当該点灯態様となるように対応する電飾灯２の点灯を制御することによって、車両Ｃの乗員は、運転者によって急ブレーキ操作が行われることを事前に知ることができる。また例えば、当該操作速度が遅く、かつ操作量が多いときに青等の所定の点灯色で点灯する点灯態様が記憶されていてもよい。制御部１１が当該点灯態様となるように対応する電飾灯２の点灯を制御することによって、車両Ｃの乗員は、運転者によってブレーキが踏み込まれているかどうかを知ることができる。
【００４０】
このように構成された車内灯制御システムにおいて、車内灯制御装置１の制御部１１は、電飾灯テーブル１２ｂ及び点灯パターン１２ｃを参照し、通信部１４を介して取得したブレーキに対する操作速度及び操作量に応じて異なる点灯態様で電飾灯２の点灯を制御する。ここで、制御部１１は、操作パネル６を介して使用者から当該操作速度及び操作量に応じて点灯させるべき電飾灯２の点灯箇所及び点灯パターンの入力を受け付ける。以下、制御部１１が当該入力を受け付けるときに行う処理について説明する。
【００４１】
図４は、電飾灯２の点灯に係る設定が登録されるときにおける車内灯制御装置１の処理手順を示すフローチャートである。制御部１１は、設定操作要求を受け付けたか否かを判定する（ステップＳ１１）。設定操作要求とは、ブレーキに対する操作速度及び操作量に応じて点灯させるべき電飾灯２と、当該電飾灯２に点灯させる点灯パターンとの入力を受け付けるための要求である。当該設定操作要求は、操作パネル６を介して行われる使用者の設定操作により、制御部１１に出力される。設定操作要求を受け付けていないと判定した場合（Ｓ１１：ＮＯ）、制御部１１は設定操作要求を受け付けるまで待機する。
【００４２】
設定操作要求を受け付けたと判定した場合（Ｓ１１：ＹＥＳ）、制御部１１は、操作パネル６が備える表示部に制御対象選択画面を表示する（ステップＳ１２）。制御対象選択画面は、車内灯制御装置１が運転者のブレーキ操作に応じて点灯させるべき電飾灯２の入力を受け付ける操作画面である。図５は、制御対象選択画面の具体例を示す説明図である。図５には、制御対象選択画面が表示されたときの操作パネル６の表示部が模式的に示されている。制御対象選択画面には、制御対象となり得る電飾灯２を表す表示と、チェックボックス、ラジオボタン等の制御対象として選択されたか否かが識別可能な表示とが含まれている。図５の制御対象選択画面においては、ピラー電飾灯２４が制御対象として選択されていることが表されている。
【００４３】
その後、制御部１１は、制御対象選択画面からの入力を受け付けたか否かを判定する（ステップＳ１３）。入力を受け付けていないと判定した場合（Ｓ１３：ＮＯ）、制御部１１は、入力を受け付けるまで待機する。なお、制御部１１は、ステップＳ１３において制御プログラム１２ａを実行することにより、本発明の制御対象受付部として機能する。
【００４４】
入力を受け付けたと判定した場合（Ｓ１３：ＹＥＳ）、制御部１１は、受け付けた入力内容を一時記憶部１３に記憶する（ステップＳ１４）。受け付けた入力内容とは、制御対象選択画面にて入力された制御対象となる電飾灯２の情報であり、例えば、ピラー電飾灯２４の情報である。
【００４５】
次いで、制御部１１は、操作パネル６が備える表示部に点灯パターン選択画面を表示する（ステップＳ１５）。点灯パターン選択画面は、車内灯制御装置１が運転者のブレーキ操作に応じて点灯させる電飾灯２の点灯態様の入力を受け付ける操作画面である。図６は、点灯パターン選択画面の具体例を示す説明図である。図６には、点灯パターン選択画面が表示されたときの操作パネル６の表示部が模式的に示されている。点灯パターン選択画面には、電飾灯２に点灯させ得る点灯パターンを表す表示と、チェックボックス、ラジオボタン等の点灯パターンとして選択されたか否かが識別可能な表示とが含まれている。図６の制御対象選択画面においては、「グラデーションＡ」が選択されていることが表されている。
【００４６】
その後、制御部１１は、点灯パターン選択画面からの入力を受け付けたか否かを判定する（ステップＳ１６）。入力を受け付けていないと判定した場合（Ｓ１６：ＮＯ）、制御部１１は、入力を受け付けるまで待機する。なお、制御部１１は、ステップＳ１６において制御プログラム１２ａを実行することにより、本発明の点灯態様受付部として機能する。
【００４７】
入力を受け付けたと判定した場合（Ｓ１６：ＹＥＳ）、制御部１１は、受け付けた点灯態様と、ステップＳ１４で一時記憶部１３に記憶した点灯させるべき電飾灯２とを対応付けて、電飾灯テーブル１２ｂに記憶し（ステップＳ１７）、処理を終える。例えば、制御対象選択画面にてピラー電飾灯２４が制御対象として選択され、点灯パターン選択画面にてグラデーションＡが選択された場合、制御部１１は、図３に示した電飾灯テーブル１２ｂを記憶部１２に記憶する。
【００４８】
以上の処理を車内灯制御装置１が行うことによって、使用者は、図５及び図６で説明した設定画面を介して、ブレーキに対する操作速度及び操作量に応じて点灯させるべき制御対象と、当該制御対象に点灯させるべき点灯パターンとを選択することができる。
【００４９】
図７は、ブレーキが操作されたときにおける車内灯制御装置１の処理手順を示すフローチャートである。制御部１１は、ブレーキＥＣＵ３と通信をすべき通信タイミングにあるか否かを判定する（ステップＳ２１）。制御部１１は例えば、所定時間毎にブレーキＥＣＵ３と通信を行うように通信部１４に指令を出すように構成されており、所定時間が経過する都度、ブレーキＥＣＵ３と通信をすべき通信タイミングにあると判定する。所定時間は例えば０．１秒である。通信タイミングにないと判定した場合（Ｓ２１：ＮＯ）、制御部１１は通信タイミングになるまで待機する。
【００５０】
通信タイミングにあると判定した場合（Ｓ２１：ＹＥＳ）、制御部１１は、ブレーキＥＣＵ３からブレーキに対する操作速度及び操作量を取得する（ステップＳ２２）。なお、制御部１１はステップＳ２２において制御プログラム１２ａを実行することにより、本発明の取得部として機能する。
【００５１】
次いで、制御部１１は、取得したブレーキに対する操作速度又は操作量が０より大きいか否かを判定する（ステップＳ２３）。ここで、ブレーキに対する操作速度又は操作量が０とは、当該ブレーキが運転者によって操作されていない状態、即ちブレーキが未作動であることを表す。操作速度又は操作量が０より大きくないと判定した場合（Ｓ２３：ＮＯ）、制御部１１は、ステップＳ２１に処理を戻す。
【００５２】
操作速度又は操作量が０より大きいと判定した場合（Ｓ２３：ＹＥＳ）、制御部１１は、電飾灯２から点灯を制御すべき制御対象を決定する（ステップＳ２４）。具体的には、制御部１１は、電飾灯テーブル１２ｂを参照し、点灯パターンが対応付けて記憶されている点灯箇所を制御対象として決定する。例えば、図３の電飾灯テーブル１２ｂにおいては、制御部１１はピラー電飾灯２４を制御対象として決定する。
【００５３】
次いで、制御部１１は、ステップＳ２４で決定した制御対象の点灯を制御すべき点灯態様を決定する（ステップＳ２５）。具体的には、制御部１１は、電飾灯テーブル１２ｂと、点灯パターン１２ｃと、ステップＳ２２で取得したブレーキに対する操作速度及び操作量とに基づいて決定する。例えば、ステップＳ２２で制御部１１に取得されたブレーキに対する操作速度が速く、操作量が多かった場合、電飾灯テーブル１２ｂに記憶されている「グラデーションＡ」においては、点灯態様は赤の点灯色と決定される。
【００５４】
その後、制御部１１は、ステップＳ２５で決定した点灯態様となるように、ステップＳ２４で決定した制御対象の点灯制御を行う（ステップＳ２６）。次いで、制御部１１は、操作パネル６を介して終了操作を受け付けたか否かを判定する（ステップＳ２７）。終了操作とは、制御部１１が運転者のブレーキの操作に応じて電飾灯２の点灯を制御する処理を終了するための操作であり、例えば運転者が操作パネル６を介して当該操作を入力する。
【００５５】
終了操作を受け付けていないと判定した場合（Ｓ２７：ＮＯ）、制御部１１は、ステップＳ２１に処理を戻し、終了操作を受け付けたと判定した場合（Ｓ２７：ＹＥＳ）、制御部１１は、処理を終える。
【００５６】
以上の構成及び処理によって、車内灯制御装置１は、ブレーキＥＣＵ３よりブレーキに対する操作速度及び操作量に応じて異なる点灯態様となるように電飾灯２の点灯を制御することができる。そのため、車両Ｃの乗員に運転者によるブレーキ操作の程度を容易に知らせることができる。
【００５７】
（実施の形態２）
実施の形態２では、車内灯制御装置１が更に、車両Ｃの走行速度に応じて電飾灯２を制御する例を説明する。なお、以下で説明する構成及び作用を除くその他の構成及び作用は上述の実施の形態１と同様であるため、同様の構成に関する詳細な説明及びその作用効果の説明は簡潔のため省略する。
【００５８】
図８は、実施の形態２における車内灯制御システムの各構成を示すブロック図である。実施の形態２におけるブレーキＥＣＵ３には、車速センサ７が接続されている。車速センサ７は、車両Ｃの車速を検出し、検出した車速の情報をブレーキＥＣＵ３に出力する。
【００５９】
図９は、ブレーキが操作されたときにおける車内灯制御装置１の処理手順を示すフローチャートである。なお、ステップＳ３１、ステップＳ３３、及びステップＳ３５〜ステップＳ３８は、図７中のステップＳ２１、ステップＳ２３、及びステップＳ２４〜ステップＳ２７までの処理と夫々同様であるため説明を省略する。
【００６０】
制御部１１は、ステップＳ３１において通信タイミングであると判定した場合（Ｓ３１：ＹＥＳ）、ブレーキＥＣＵ３からブレーキに対する操作速度及び操作量と、車速とを取得し（ステップＳ３２）、ステップＳ３３に処理を進める。なお、制御部１１は、ステップＳ３２において、ブレーキＥＣＵ３からブレーキに対する操作速度及び操作量を取得するとき、制御プログラム１２ａを実行することによって本発明の取得部として機能する。また、制御部１１は、ステップＳ３２において、ブレーキＥＣＵ３から車速を取得するとき、制御プログラム１２ａを実行することによって本発明の車速取得部として機能する。
【００６１】
その後、ステップＳ３３において、操作速度又は操作量が０より大きいと判定した場合（Ｓ３３：ＹＥＳ）、制御部１１は、ステップＳ３２で取得した車速が所定速度以上であるか否かを判定する（ステップＳ３４）。所定速度とは、例えば時速５ｋｍである。所定速度以上でないと判定した場合（Ｓ３４：ＮＯ）、制御部１１はステップＳ３１に処理を戻す。一方、所定速度以上であると判定した場合（Ｓ３４：ＹＥＳ）、制御部１１はステップＳ３５以降に処理を進める。
【００６２】
以上の構成及び処理によって、車内灯制御装置１は、ブレーキＥＣＵ３から取得した車速が所定速度以上の場合に電飾灯２の点灯を制御することができる。そのため、運転者によるブレーキ操作の程度を車両Ｃの乗員へ知らせる必要がない場合に、車内灯の不要な点灯を防ぐことができる。
【００６３】
なお、実施の形態２においては、制御部１１は、車速センサ７が検出した車両Ｃの車速を取得することを説明したが、例えば、車両Ｃのホイルの回転速度等を検出する車輪速センサが検出した値に基づいて、車両Ｃの車速を取得してもよい。
【００６４】
また、実施の形態２においては、制御部１１は、車速が所定速度以上であると判定した場合に制御対象となる電飾灯２の点灯制御を行うことを説明したが、更に、当該車速に応じて点灯パターンにおける点灯態様を変えてもよい。このとき、点灯パターン１２ｃには、車速に応じて態様を変えるような点灯態様が記憶されていることで実現される。当該点灯態様は例えば、ブレーキに対する操作速度及び操作量に応じて電飾灯２の点灯色の色相が段階的に変化し、かつ、車速に応じて所定時間内に点灯及び消灯を行うタイミングが段階的に変化する態様である。
【００６５】
また、実施の形態１及び２においては、制御部１１は、ブレーキに対する操作速度及び操作量に基づいて、電飾用に構成された電飾灯２を制御することを説明したが、車内灯であれば電飾用でなくてもよい。また、当該車内灯は、複数であっても、単数であってもよい。
【００６６】
また、実施の形態１及び２においては、制御部１１は、ブレーキに対する操作速度及び操作量の双方に基づいて電飾灯２を制御することを説明したが、当該操作速度又は操作量のどちらか一方に基づいて電飾灯２を制御してもよい。
【００６７】
また、実施の形態１及び２においては、点灯パターン１２ｃが記憶する点灯態様が、色相が段階的に変化する態様又は所定時間内に点灯及び消灯を行うタイミングが段階的に変化することを説明したが、それ以外であってもよい。例えば、当該点灯態様は、当該色相及びタイミングが共に段階的に変化する態様であってもよいし、点灯色の濃淡が段階的に変化する態様であってもよい。また例えば、当該点灯態様は、電飾灯２の明るさが段階的に変化する態様であってもよい。
【００６８】
また、実施の形態１及び２においては、制御部１１が、ブレーキに対する操作速度及び操作量に応じてピラー電飾灯２４の点灯を制御することを説明したが、加えて、制御部１１にその他の電飾灯２の点灯を制御部１１に制御させてもよい。このとき、制御部１１は、操作パネル６の表示部に表示された制御対象選択画面において複数の制御対象の選択を受け付け、点灯パターン選択画面を介して受け付けた点灯パターンと共に、電飾灯テーブル１２ｂに記憶する。また、このとき、制御対象別に、点灯パターンが異なっていてもよいし、同じであってもよい。
【００６９】
また、実施の形態１及び２においては、点灯パターン１２ｃは予め記憶されていることを説明したが、操作パネル６等を介して点灯パターン１２ｃの入力を受け付けてもよい。
【００７０】
更に、今回開示された実施の形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００７１】
１  車内灯制御装置
２  電飾灯
３  ブレーキＥＣＵ
４  ストロークセンサ
５  圧力センサ
６  操作パネル
７  車速センサ
１１  制御部（取得部、点灯態様受付部、制御対象受付部、車速取得部）
１２  記憶部
１３  一時記憶部
１４  通信部
１５  入出力部
【図１】
2015160542.tif 000003
【図２】
2015160542.tif 000004
【図３】
2015160542.tif 000005
【図４】
2015160542.tif 000006
【図５】
2015160542.tif 000007
【図６】
2015160542.tif 000008
【図７】
2015160542.tif 000009
【図８】
2015160542.tif 000010
【図９】
2015160542.tif 000011